(57)【要約】【課題】  言語障害がある人にとって、対面者との意思疎通は、筆談という方法がある。又遠隔地の人との意思疎通は、ファックスとか、電子メールが出現して、とても便利になっきている。しかし現在一般に一番普及している電話での意思疎通は適当なものが無い。電話が使用できないうことは急病とか、火災とか、非常時に緊急な連絡手段が無いも同然で、言語障害者にとっては常に精神的に不安を抱えていることになる。電話での応対で相手に対して違和感のない、自然な感じで会話が成立するようなものがあれば言語障害者にとっては非常に役に立つ。なる。【解決手段】  現在は音声合成で文字を音声で発声させる技術はほぼ確立されている。又マイクロコンピューターも一般に手軽に手に入るようになってきている。この２つのものをうまく組み合わせることにより特殊な機器類を一切使用すること無く、手軽に言語障害者を支援する装置を実現させる。【選択図】図２
2007286567.tif 000002
【特許請求の範囲】
【請求項１】
画面上に予め入力表示してある枠の言葉を、マウスポインタでクリックすることにより発声させることと、任意の言葉を枠に入力表示して、その枠に隣接する釦を、マウスポインタで、クリックして枠の言葉を発声させることが出来る、言語障害者支援音声発声装置。
【請求項２】
頻繁に使用しない言葉を予め入力表示してある枠は、用途別に分けて、用途を表記したタブをつけたファイルに入れておき、タブをクリックして希望のファイルを画面に表出させて希望の言葉の枠をマウスポインタでクリックして発声させ、頻繁に使用する予め入力表示してある枠は、ファイルには収納しないで画面上に置き、枠をマウスポインタでクリックするか、もしくはその枠に対応させてあるファンクションキーの押下で発声させるようにした言語障害者支援音声発声装置。
【請求項３】
任意の言葉をキーボードから入力して、それを表示する枠があり、その枠に対応して隣接する釦があり、入力が終了したらその釦を押下することにより入力した言葉を発声させるような言語障害者支援音声発声装置。
【発明の詳細な説明】
【技術分野】
【０００１】  本発明は言語障害のある人を支援する音声発声装置に関し、詳しくは、電話での受け答えさえも、可能になるような音声発声装置に関する。
【背景技術】
【０００２】  現在は音声を発する電子辞書が存在する。しかしこれは辞書内に記憶された言葉しか発声することができないのでその範囲内での意思疎通しかできない。もしも、これで会話をしようとすると、言葉を無限に入れておかねばならない。
又表示示部が一つしかなくて、一つの選択しかできないので必要な言葉を発声させるのに時間がかかってしまう。
（例えば、非特許文献１参照）【０００３】  任意の文字入力で発声させる装置に関する考案もあるが、その都度必要な言葉を入力せねばならないので時間がかかってしまい実用できるのか疑問である。
（例えば特許文献１参照）【０００４】  又、現在は入力した文字を音声で読み上げてくれる携帯電話（非特許文献２）があるが、これも表示部が、一つである為に時間を要してしまう。【０００５】
【非特許文献１】シャープ  電子辞書総合カタログ２００５−８
【特許文献１】実願平７−１４１０９
【非特許文献２】ＦＯＭＡらくらくホンＩＩ取り扱い説明書Ｐ２１５
【発明の開示】
【発明が解決しようとする課題】
【０００６】  言語障害がある人にとって、対面する相手と意思疎通する場合は、筆談という方法がとれる。又遠隔地の人との意思疎通は、ファックスとか電子メールが出現して、とても便利になってきている。【０００７】  しかし、現在一般に、一番普及している電話での、意思疎通は適当なものが無いので、例えば、急病とか、火災とか、非常時に、緊急な連絡手段としての電話が、使用できない。  このことは、言語障害者にとっては、精神的に不安を、常に抱えていることになる。電話での応対で、相手に対して違和感のない、自然な感じで、会話が成立するようなものがあれば、言語障害者にとっては、非常に役にたつ。
【問題を解決するための手段】
【０００８】  本発明が提供する言語障害者を支援する音声発生装置は次の（１）、（２）、（３）に記載のものである。。
【０００９】  （１）予め入力表示してある枠の言葉を、マウスポインタでクリックすることにより発声させることと、任意の言葉を枠に入力表示して、その枠に隣接する釦を、マウスポインタで、クリックして枠の言葉を発声させることが出来る、言語障害者を支援する音声発声装置。
【００１０】  （２）頻繁に使用しない言葉を予め入力表示してある枠は、用途別に分けて、用途を表記したタブをつけたファイルに入れておき、タブをクリックして希望のファイルを画面に表出させて希望の言葉の枠をマウスポインタでクリックして発声させ、頻繁に使用する予め入力表示してある枠は、ファイルには収納しないで画面上に置き、枠をマウスポインタでクリックするか、もしくはその枠に対応させてあるファンクションキーの押下で発声させるようにした言語障害者を支援する音声発声装置。
【００１１】  （３）任意の言葉をキーボードから入力して、それを表示する枠があり、その枠に対応して隣接する釦があり、入力が終了したらその釦を押下することにより入力した言葉を発声させるような言語障害者を支援する音声発声装置。
【発明の効果】
【００１２】  言語障害がある人もこの装置を用いれば社会生活をする上での障害が大幅に軽減される。また精神的な不安も解消される。
【００１３】  また、全く別の用途として、この装置に、希望の外国語翻訳ソフトを組み込むことにより任意の言葉を、希望の外国語で発声させることもできるようになる。
【発明を実施するための最良の形態】
【００１４】  特別注文するような機器は必要なく、市販の汎用マイクロコンピューターと、音声合成ソフトと、本発明のソフトを、マイクロコンピュターにインストールすることにより、音声発生装置が出来上がる。可搬性の優れたモバイルコンピューターを用いれば、手軽に携帯できて、どこでも、電話が利用できるようになる。
【実施例】
【００１５】  以下、本発明の実施形態を図１、図２、図３に基づいて説明する。図１は本発明の画面図で、表示画面１０に表示される。大きく分けて、会話に必要と想定される言葉を予め入力表示させてある枠と、任意の言葉を入力して表示する枠と、で構成する。【００１６】  予めの言葉の枠７は多数になるので、用途別にファイル８に収めておき、タブ６をファイルにつけておく。タブにはファイルの内容を表記しておく。例えば（個人情報）と表記してあるタブのファイルには住所氏名、電話番号、などを入れておく。タブをマウスポンタ９でクリックすることにより、必要な言葉が入っているファイルが瞬時に画面上に現れるようにする。【００１７】  但し予めの言葉の内で「はい」「いいえ」「分かりました」「違います」などの、頻繁に移使用する言葉の枠２はファイルには入れないで、直接画面の領域１に配置する。【００１８】  任意の言葉を入力して表示する枠４はその都度入力するので多数は必要ないし、迅速に入力する必要があるのでファイルには収めないで、直接に画面の領域３に配置する。予備として任意の言葉を入力して表示する枠をファイル８に入れておく。【００１９】  予め言葉を表示させてある部分は目で言葉を確認できるので選択発声させるのに時間はかからないが、任意の言葉を入力には時間がかかる。相手に対してストレスを感じさせないようにするために「予め文字入力中ですので少しお待ちください」という言葉を予めの部分に入力しておいて発声させ、了解を得てから入力する。【００２０】  発声させるきっかけは、予めの部分に於いては、枠の中をマウスポインタでクリックする。又、特に頻繁に使用する言葉、例えば「はい」、「いいえ」、「わかりました」、「ありがとうございます」等はマウスポインタのクリックと共に、対応したファンクションキー１５を押しても発声できるようにして会話の応答速度を早くしておく。【００２１】  任意文章入力部分の発生のきっかけは、文章入力し終わった後に、枠４の脇にある釦５をマウスポインタでクリックして発声させる。【００２２】  任意の言葉はキーボード１１で入力する。音声発生はスピーカー１２から出力する。【００２３】  マウスポンタを移動させたり、クリックしたりするのはマウス１３もしくは、マウスパッド１４で行う。【００２４】  図３は本発明のソフト概念図を示す。音声合成ソフト１９は、ＡｃｔｉｖｅＸコントロール２０、音声合成コアＤＬＬ２１、辞書２２、音声データベース２３で構成されている。開発言語（例えばビジュアルベーシック）１７を用いて、本発明の構想１６の動作をする本発明のソフト１８をプログラムし、ＡｃｔｉｖｅＸコントロール２０で音声合成ソフト１９をコントロールする。
【図面の簡単な説明】
【００２５】
【図１】本発明の実施形態を示すパーソナルコンピューターの表示画面図
【図２】ノート型パソコンに本発明を実施した場合の概観図
【図３】本発明のソフト構成概念図
【符号の説明】
【００２６】１      領域
２      言葉の枠
３      領域
４      枠
５      釦
６      タブ
７      言葉の枠
８      ファイル
９      マウスポインタ
１０    表示画面
１１    キーボード
１２    スピーカー
１３    マウス
１４    マウスパッド
１５    ファンクションキー
１６    本発明の構想
１７    開発言語（例えばＶｉｓｕａｌ  Ｂａｓｉｃ等）
１８    本発明のプログラム
１９    音声合成ソフト
２０    ＡｃｔｉｖｅＸコントロール
２１    音声合成コア
２２    辞書
２３    音声データベース
【図１】
2007286567.tif 000003
【図２】
2007286567.tif 000004
【図３】
2007286567.tif 000005